Podtech/llm-jp-corpus-v4-ja_patent huggingface dataset:
(57)【要約】【課題】  従来のいわゆる「緑のカーテン」は育成植物の存在が前提でなければならず、そのためのスペース、手間を用意できる人のみに可能な設備であった。【解決手段】いわゆる「緑のカーテン」の機能のうち、もっとも重要なものだけを抽出すれば、必ずしも生物としての育成植物の存在は必要ではないと思われるので、その機能を人工の構造物で置き換えようとするものである。【選択図】図１
2014031699.tif 000002
【特許請求の範囲】
【請求項１】
いわゆる「緑のカーテン」用ネットの、それぞれの網目の上辺に網目の大きさ程度のビニール片または類似素材の垂れ幕様のものを貼付する。
【請求項２】
ネットを使わず、広いビニール製または類似の幕に、小さな垂れ幕様の形（［請求項１］でネットの網目に貼付したような形）ができるように左右辺および下辺に切れ込みを入れる。
【発明の詳細な説明】
【技術分野】
【０００１】  本発明は、一般家庭の省エネおよび美化設備品に関する。
【背景技術】
【０００２】  従来のいわゆる「緑のカーテン」には、支柱で支えた紐やネットに育成植物の蔓をからませたものがある。
また、ネットや蔓植物を用いず、庭に密生させた育成植物で日差しをさえぎるだけのものをいう場合もある。さらに、同様の効果を目的とした類似製品として、我が国に古くから伝わる立て簾やすだれがある。
【発明の概要】
【発明が解決しようとする課題】
【０００３】  以上に述べた従来のいわゆる「緑のカーテン」は、いずれも育成植物の枝葉が日差しをさえぎることによってできる影を、あたかもカーテンが作り出す影のようなものと形容して付した名称であるが、植物の育成には充分な土地、またはプランター等の設備が必要なうえ、施肥などの手間を怠ると充分な効果を得ることも困難である。また、紐やネットを支える支柱の設置場所に困る場合もある。立て簾などは広い面積をカバーしようとすると相当の重量物となって、設置や撤去に必要な労力が非常に大きくなる場合もある。【０００４】  本発明は、このような従来の構成物が有していた問題を解決しようとするものであり、夏季の強力な日差しをさえぎり、かつ適度な風の出入りを可能にする簡便な方法を実現することを目的とするものである。
【課題を解決するための手段】
【０００５】  そして、本発明は上記目的を達成するために、従来のいわゆる「緑のカーテン」において、育成植物の枝葉が果たしていた機能を人工物に代替させることとする。【０００６】  第一の方法として、網目の大きさが縦横約１０ｃｍ（大きさは市販のもの等適宜変更可能である。）の「緑のカーテン」用ネットの、それぞれの網目の上辺に網目の大きさ程度のビニール片をしっかりと貼付する。ビニール片は緑色またはこれに類似したやや暗色のものを用い（葉様の模様を施したものでもよい。）、日差しを適度に遮ることができるものとし、またその厚さは１〜２ｍｍ程度で、弱い風でも翻り、通風を容易にするものとする。ビニール片は、素材として必ずしもビニールに限定するものではなく、軽く、耐水性の優れたものであれば他の素材を用いてもよい。またビニール片の形状についても、スリットを入れたり、葉様の形状を模したものでもよい。ネットの上辺および下辺から突出させたロープは、吊り下げたり、錘をぶら下げるのに適する程度の、従来のネットよりやや長めのものとする。【０００７】  第二の方法として、第一の方法で用いられたネット全体程度の広さのビニール製または類似の丈夫な素材の幕に、小さな垂れ幕様の形（上記の第一の方法でネットの網目に貼付したビニール片のような形）ができるように左右辺および下辺に切れ込みを入れたものを、左右、上下に網目状に並べる。ただし、この方法では耐久的に第一の方法に比し、網目間の広さは相対的に大きいものとなるが、垂れ幕様の形の切れ込みの大きさは適宜変更可能である。また、この幕の上下には建造物への固定用のロープを取り付けておく。
【発明の効果】
【０００８】  上述したように本発明の緑のカーテンは、植物を育成するスペースも手間も不要でありながら、従来の緑のカーテンと同様の遮光と通風の効果を期待できるものである。
【図面の簡単な説明】
【０００９】
【図１】本発明の正面図であり、上記の課題を解決するための手段の第一の方法を用いて作製した緑のカーテン用ネットの各網目の態様の一例を示す。
【図２】本発明の正面図であり、上記の課題を解決するための手段の第一の方法を用いて作製した緑のカーテン用ネット全体の態様の一例を示す。
【図３】本発明の正面図であり、上記の課題を解決するための手段の第二の方法を用いて作製した緑のカーテンに入れた切れ込みの態様の一例を示す。
【発明を実施するための形態】
【００１０】  以下、本発明の実施の形態を図１、図２、図３に基づいて説明する。
【００１１】  図１は、上記の課題を解決するための手段の第一の方法を用いて作製した緑のカーテン用ネットの各網目の上辺にビニール片を貼付している様子を表している。ネットは既に市販されているものでもよい。市販されているものの網目の大きさも様々あるが、その大きさに合わせてビニール片についても、その大きさ・形状等は［０００６］で述べたように適宜変形するものとする。
【００１２】  図２は、建造物に設置するための上記の課題を解決するための手段の第一の方法を用いて作製した緑のカーテン用ネット全体の構造を表しているが、既に市販されているものを用いて不都合な場合には適宜それに改良を加えたものを使用するものとする。
【００１３】  図３は、上記の課題を解決するための手段の第二の方法を用いて作製した緑のカーテンに入れた切れ込みにより、幕の多数箇所から風の出入りが可能になる様子を表している。切れ込みの間隔や形状については適宜変形が可能である。
【図１】
2014031699.tif 000003
【図２】
2014031699.tif 000004
【図３】
2014031699.tif 000005
(57)【要約】      （修正有）【課題】マイバスケットの買い物袋をそのままの状態で、容易にかつ安全に自転車にのせることができ、かつ走行中の安定性のよいバスケットを提供する。【解決手段】自転車のリヤ、フロントバスケットを「マイバスケット」が入る大きさにする。バスケットの４面の内の１個所がぶら下がるように開口部をつくる。荷物が落ちないように蓋をつける。自転車用バスケットの大きさは「マイバスケット」より高さ、幅、奥行きとも５ｃｍていど大きくする。開閉部分は簡単で使いやすいかぎ型フック、輪などを使用する。以上の構成よりなる自転車用バスケット。【選択図】図２
2014031152.tif 000002
【特許請求の範囲】
【請求項１】
スーパーの「マイバスケット」の大きさに合わせた自転車用バスケットの１面に開口部を設けた自転車用バスケット。
【発明の詳細な説明】
【技術分野】
【０００１】本発明は自転車のリヤバスケット及びフロントバスケットにスーパーの「マイバスケケット」でレジにて支払いを済ませたまま乗せることができる自転車用バスケットにかんするものである。
【背景技術】
【０００２】自転車での買い物は買い物袋であった。
【発明の概要】
【発明が解決しようとする課題】
【０００３】今までの自転車用バスケットは小さくて「マイバスケット」をそのまま乗せる事は出来なかった。買い物のあとは買い物袋が重くなるので従来の自転車用バスケットの高さは高いので買い物袋を持ち上げてバスケットに入れ置くは女性、特に老人には困難であった。「マイバスケット」は後ろ荷台にくくり付けるのも面倒であると共に材質、大きさの加減なのか滑りやすい。
本発明は、以上の問題点を解決するためになされたものである。
【課題を解決するための手段】
【０００４】自転車のリヤ、フロントバスケットを「マイバスケット」が入る大きさにする。バスケットの四面の内の１箇所がぶら下がるように開口部をつくる。
荷物が落ちないように蓋をつける。
自転車用バスケットの大きさは「マイバスケット」より高さ、幅、奥行きとも５ｃｍ程度大きくする。
開閉部分は簡単で使いやすいかぎ型フック、連結用に輪を使用する。
以上の構成よりなる自転車用バスケット。
【発明の効果】
【０００５】自転車用バスケットを取付けることにより「マイバスケット」でレジを済ませたまま自転車に乗せるので今まで買い物袋に入れ替えて自転車にのせていた作業がなくなる。
この作業が嫌なため自動車で買い物に出かけていたのが自転車に変われば運動にもなり、ガソリンの節約になる。結果としてエコとなる。
荷物が安定するためふら付きがなくなり、安心、安全が確保される。
【図面の簡単な説明】
【０００６】
【図１】自転車用バスケットの荷実施図
【図２】自転車用バスケットの使用方法の図
【図３】自転車用バスケットの展開図
【発明を実施するための形態】
【０００７】（イ）前キャリア２に取付器具１４で自転車用バスケット５を固定する。
後キャリア３に取付器具１５で自転車用バスケット５を固定する。
（ロ）自転車用バスケット５に掛けている蓋８のフック９を外してはねる。
自転車用バスケット５の側面７のフック１３を外して下に垂らす。
（ハ）自転車用バスケット５にマイバスケットを乗せた後は側面７のフック１３を掛ける      。その後蓋８のフック９を掛ける。
本発明は以上のような構造である。
本発明は老人、女性が使用する頻度高いと思われるので連結用に丸い輪、フック等簡単  で力のいらないものを使用した。
本発明を使用するときはハンドルとスタンドを平行にすればタイヤがぐらつかない。
【符号の説明】
【０００８】１  マイバスケット
２  前キャリア
３  後キャリア
４  両足スタンド
５  自転車用バスケット
６  自転車用バスケットバスケットの１面が開口された図
７  自転車用バスケットバスケットの１面が垂れ下がった図
８  自転車用バスケットの蓋を開いて跳ねあげた図
９  自転車用バスケット蓋を本体に固定する為のフック
１０  自転車用バスケットと蓋をジョイントする為に取り付けた連結用の輪。
１１  自転車用バスケットに閉じた蓋を固定する為に取り付けたフック
１２  自転車用バスケット本体と開口部の面をジョイントする為に取り付けた輪。
１３  自転車用バスケット本体と開口部をジョイントする為に取付けたフック。
１４  前キャリア装備に自転車用バスケットを固定する為の取付器具。
１５  後キャリア装備に自転車用バスケットを固定する為の取付器具。
【図１】
2014031152.tif 000003
【図２】
2014031152.tif 000004
【図３】
2014031152.tif 000005
(57)【要約】【課題】従来の技術では本体を傾けると、同じ画面の縦横が変わるだけであった【解決手段】本発明は、本体を傾けると、全く異なる画面の表示が変わるものである【選択図】図１
2014010824.tif 000002
【特許請求の範囲】
【請求項１】
ジャイロなどの回転検知センサーを搭載したゲーム機、電子機器、携帯端末において、物語を表示するソフトウェアのシステム
【発明の詳細な説明】
【技術分野】
【０００１】画面表示に関する
【発明の概要】
【発明が解決しようとする課題】
【０００２】従来の技術では本体を傾けると、同じ画面の縦横が変わるだけであった
【課題を解決するための手段】
【０００３】本発明は、本体を傾けると、全く異なる画面の表示が変わるものである【０００４】例えば、ひとつのアプリケーション内において横に表示した際には画像が表示されるが、縦にすると電子書籍になる
【発明の効果】
【０００５】キャラクターや横書きの文字等を交えて表示して物語の進行を表示させる状態から、搭載した回転検知センサーからの傾き情報を得て、回転度が右方向（または左方向）に一定以上変化した段階で、主に縦書きの文字を主体とした書籍形状の表示の状態に遷移する表示する
【図面の簡単な説明】
【０００６】
【図１】本発明の内容
【図１】
2014010824.tif 000003
(57)【要約】【課題】外出困難な人々の、も一度見てみたい個々の思いでの場所、人々、風景を、個々に直接撮影して視聴してもらうのは、なかなか難しいものがあった。【解決手段】インターネット上のソーシャルメディアネットワーキングを利用し、外出困難な人々の要望する地域の居住者に撮影を協力してもらい、スマートフォンやデジタル撮影機を使い風景など撮影してもらう。そしてその画像をクラウドストレージに送信してもらい画像データファイルを共有する。データファイルより視聴してもらうコンテンツを製作し、そのコンテンツに特定のＵＲＬを付与し外出困難な依頼者に電子メールにてＵＲＬを知らせる。依頼者はインターネットでその特定のＵＲＬにアクセスしそのこコンテンツを視聴する。【選択図】なし【特許請求の範囲】
【請求項１】
外出困難な依頼者の個々の思い出の場所、人々、風景などを直接撮影し、その画像をインターネットを介して視聴してもらうビジネスモデル。
【請求項２】
個々の撮影に対応するため、その個々の場所に住んでいる人に撮影の協力者になってもらうのに、ソーシャルメディアネットワーキングを利用し協力者を探し出すビジネスモデル。
【請求項３】
撮影協力者にはスマートフォンの撮影機能とインターネットアクセス機能を使い、その場から画像データをクラウドストレージに送信してもらう。またスマートフォンを所有していない人は、デジタルカメラ、デジタルビデオで撮影しパソコンからクラウドストレージに送信してもらうビジネスモデル。
【請求項４】
撮影した画像は動画も含まれデータ量が多いのでクラウドストレージを利用する。その際ファイル共有ソフトで画像データファイルを共有するビジネスモデル。
【請求項５】
クラウドストレージ上で保存した画像データより視聴してもらうコンテンツを製作し，そのコンテンツに特定のＵＲＬを付与しクラウドストレージ上に保存する。外出困難な依頼者は特定のＵＲＬを購入しインターネットでそのＵＲＬにアクセスしコンテンツを視聴するビジネスモデル。
【請求項６】
撮影協力者には電子メールにて電子ギフト券を謝礼するビジネスモデル。
【発明の詳細な説明】
【技術分野】
【０００１】本発明はＩＴを駆使して、外出困難な人々の個々の注文に応じた対象を撮影し、その画像をインターネットで配信して視聴してもらうためのビジネスモデルに関する。
【背景技術】
【０００２】従来思い出の場所や風景を見ようとした場合、販売されている写真集やビデオなどがあったが、それらの内容は代表的な風景や建造物ばかりであり、その個人が昔訪れたり、住んでいた懐かしい実際の街並や風景を見ることはできなかった。又個人の希望する特定の場所を撮影しようとすると、撮影者の交通費、宿泊費、人件費など特に遠方になると高額な費用がかかり、実現するには難しいものがあった。
【発明の概要】
【発明が解決しようとする課題】
【０００３】以上、従来の写真集やビデオなどではその個人の見たい詳しい思い出の場所、人々、風景などを見ることができなかった。
又特定の場所への撮影者の派遣は費用が高額になり、仮に撮影者をこちらから派遣する代わりに特定の場所に居住している人に撮影協力してもらうのにも、その撮影協力者を捜し出すのが難しかった。もしその撮影者が見つかったとして、撮影した大量の画像データを送ってもらのにＤＶＤなどの記録媒体を郵送や宅配便でやり取りしていると日数がかかってしまう。
撮影協力者への謝礼の支払いとして、お金のやり取りも銀行口座を使用していると手間がかかってしまう。
【課題を解決するための手段】
【０００４】まず外出困難な依頼者より電子メールで、もう一度見てみたい懐かしい場所、人々、風景を詳しく知らせてもらう。その情報からソーシャルメディアネットワーキングを利用し、依頼者の要望する地域に住んでいて撮影に協力してくれる人を探し出す。
撮影者が確保できたら依頼者の要望する画像を今普及しているスマートフォンで撮影し、スマートフォンのインターネットへの接続機能を使いその場からクラウドストレージにその撮影した画像を送信してもらい、ファイル共有ソフトで画像データを共有する。
また、スマートフォンを所有をしていない場合はデジタルカメラ、デジタルビデオなどで撮影し、パソコンからクラウドストレージに画像を送信してもらう。そしてクラウドストレージ上に保存された画像データファイルより依頼者に視聴してもらうコンテンツを制作する。
製作したコンテンツには特定のＵＲＬを付与し、依頼者に電子メールにて特定のＵＲＬを知らせる。依頼者はその特定のＵＲＬにアクセスして、クラウド上に保存されたコンテンツを視聴する。撮影協力者には電子メールで、電子ギフトを謝礼としておくる。
【発明の効果】
【０００５】本発明では従来のありきたりの一般的な場所、風景、建造物などの画像ではなく、外出困難な人々が個々に見たい場所、風景や、建造物など、特に生まれ故郷や昔実際に住んでいた街など、懐かしい特定の場所の画像が見ることができる。
又、インターネットを介してやり取りができるので、人の移動が大変少なく経費を押さえることができる。そして高齢者や病気で外出困難な人々に、昔懐かしい思い出を呼び起こしてもらうことにより、精神的な安らぎを与えることができる。
(57)【要約】      （修正有）【課題】従来、共益費や組合管理費扱いだった当該ポンプ電気料金を、各戸別の電気料金に併合する方法を提供する。【解決手段】コンピュータ計算システムが具体化する迄は、水道局の各戸の水道料金データを電力会社に提供し、使用水量の案分比をポンプ電気料金に掛けて得られる、各戸のポンプ電気料金を、各戸のポンプ外電気料金に加算して、徴集する。【選択図】図１
2014010826.tif 000002
【特許請求の範囲】
【請求項１】
家計独立の２世帯以上の集合住宅に於て、水道水圧や、水量維持の各種ポンプ（貯水槽と、高架水槽併用の揚水式・貯水槽、圧力センサー、圧力タンク併用の加圧給水式・ブースタポンプのみの直結増圧式）を設置する場合には、各戸が水を常時フルに活用できるよう、水の位置エネルギーや運動エネルギーを適切に発揮せしめる態勢を維持し、当該ポンプを使った状態の電気料金と、水道料金を適切に算出するコンピューターシステム。
【請求項２】
当該ポンプ併用の場合の、電気と水道双方の料金に係わる事項については、共用部分全域を含めた、本件該当住宅全体の維持管理の名目で扱う各種費用の対象から各戸の電気と水道料金を外すことにより、今迄は、賃貸の場合は共益費、分譲の場合は、管理組合費の名目で、当該電気料金を、水道使用量の多少に係わらず、一律に、他の管理費に併合して徴収するのが常態化していたが、当該ポンプ電気料金算出法で、従来の不合理な状態を根絶できる、当該方式。
【請求項３】
当該ポンプ併用の場合の電気料金の各戸へ請求する総額は、まず、各戸の使用分の内分けを、特定する場合、各戸の水道メータから、各戸の水道使用量の案分比を、掛け合わせて出る各戸のポンプ電気料金を、各戸のポンプ以外の電気料金に加算した集計分を、各戸への電気料金精求分として、水を含めて共用部分に消費した分については、管理組合費又は、賃貸オーナーへの請求分として、請求先を明確にすること。
【請求項４】
３項のコンピュータ処理の為のソフトとハード双方の具体化迄は、水道、電気双方の事業体は、相互に、協力して、当該料金徴集法活用の徹底に努めること。
【請求項５】
高層住宅にあっては、必要に応じ、１ｍ３の水を１階上の階へ揚水するに必要な、電気料金を特定し、各階毎の水道・電気料金格差ファクターを明確にし、必要に応じ活用すること。
【請求項６】
原則として、低層階は、水道局の配管内で充分間に合うはずだから、当該ポンプを通さず、直送させて、ポンプ用電気料金の支払対象から、外すこと。
【発明の詳細な説明】
【発明の詳細な設明】
【技術分野】
【０００１】この発明は、水道水という物質がもつ、運動のエネルギーと位置のエネルギーを活用して、集合住宅における水道水の水圧と水量を適切に維持させる為に、当該両エネルギーの活用次第で発生する水道使用量と、電気料金の関係を、合理的に且つ、不平不満の発生余地を解消する為の方法を明らかにする。即ち、具体的には、当該ポンプを設置した集合住宅における高層階への配水の為に、ポンプで圧送する電気料金の各戸間の料金の適切な配分法を、各戸が使用した水量に応じて公平に、特定する方法を明らかにする技術に関するものである。
【背景技術】
【０００２】本件特許出願者が、ある日体験した困り事に端を発して編み出した技術であり、特許として国が保護するに値するものと考えている。
本年５／８〜５／３１の間に、３度体験した内容は、早朝４時頃、洗面所の蛇口が断水しているのに、同じ頃１階駐車場の蛇口は、断水していなかったから、ポンプ系統のトラブルが原因とわかった。もう一つ、数年前に節水してみようと決心し、８ｍ３／２ヵ月位だったのを、最近では、４ｍ３／２ヵ月に節水努力しても、共益費には、何ら変化しない不合理さを何とか解決させる為の怪我の功名の実例として、本件特許技術を発明するきっかけとなった。
【発明の開示】
【発明が解決しようとする課題】
【０００３】集合住宅も、分譲と賃貸に分類でき、分譲は管理組合費として、賃貸は共益費として、ポンプ用電気料金を支払うことになっている。
しかし、各戸間や共用部分で使用する水量は、千変万化しているのに、こうした使用量の違いを、合理的に特定する方法が課題として解決できずに現状は推移している。
【課題を解決する為の手段】
【０００４】こうした課題を解決するには、特許請求の範囲で特定した方法で、合理的に解決できる。要は、水道使用量の全体を戸別と共用に細分できているので、その案分比を、ポンプの電気料金に掛けることで、特定した各料金が、各戸間の料金と、共用部分の負担分として明らかになるし、節水すれば、電気代も安くなるので、合理的と言える。
【発明の効果】
【０００５】節水努力度に応じる面に於ても、全戸間が納得できる権利と義務関係を構築できるし、不平、不満の発生余地の無い、状況を展開し得る。要するに水使用量に応じた比率をコンピュータで算出し、各戸の従来の２系統の電気料金体系（各戸別積算計による請求分とポンプ積算計による曖昧に支払っていた管理組合費や共益費で請求していた２系統）を１系統化し得る。又、これ迄のいい加減さが、組合や、オーナの不当利得を生んでいたのを止めさせ、こうした不合理を是正できる。
【発明実施の最良の形態】
【０００６】コンピューターシステム的に処理する具体化までは、人手によって、水量計データに基づいて、ポンプが配水した含量を分解して電気料金を特定し、戸別に、電気積算計に積算された宅内照明や、冷蔵庫、テレビ等で消費した項目の１つとしてポンプで消費した料金を算出して合計させれば、誰もが納得できるシステムとして、価値あるものが確立できる。
【産業上の利用可能性】
【０００７】当該仕様に合致した、新規な水量計や、電気積算計各々の新設計や、これらを結んで計算させるコンピュータシステムの新設計も必要となるので、こうした面の産業の進歩発展の可能性がある。
【図面の簡単な説明】
【０００８】
【図１】揚水ポンプ機能付集合住宅のポンプ使用電気料金を、共益費や管理組合費から外し、各戸別電気料金に併合して請求する方法のフローチャート。
【図１】
2014010826.tif 000003
(57)【要約】      （修正有）【課題】確実に流量を測定できる液体用流量計を提供する。【解決手段】入口と上流室と出口を有するケーシング１と、上流室と出口を仕切るセキ板と、セキ板に開けられたセキ孔７と、上流室に配されたフロート９と、上流室から外部に突出して固定されたケース１０と、ケース１０の中心軸１１の回りに回転自在に取付けられた回転板１２と、一端が回転板１２に固定され他端がフロート９に固定されフロート９の浮上降下により回転して回転板１２を回転せしめるフロートアーム１３と、回転板１２に連結され回転板１２の回転に伴ってケース１０の軸心方向に変位する可動軸１５と、可動軸１５に内蔵された永久磁石１６と、永久磁石１６の変位に応じた永久磁石１６との距離変化に基づき上流室の液位を検出する磁気センサ１７と、上流室の液位とセキ孔７の通過量との関係から液体の流量を算出する流量算出器１８とを具備する。【選択図】図２
2014010122.tif 000002
【特許請求の範囲】
【請求項１】
入口と上流室と出口を有するケーシングと、上流室と出口を仕切るセキ板と、セキ板に開けられたセキ孔と、上流室に配されたフロートと、上流室から外部に突出して固定されたケースと、ケースの中心軸の回りに回転自在に取付けられた回転板と、一端が回転板に固定され他端がフロートに固定されフロートの浮上降下により回転して回転板を回転せしめるフロートアームと、回転板に連結され回転板の回転に伴ってケースの軸心方向に変位する可動軸と、可動軸に内蔵された永久磁石と、永久磁石の変位に応じた永久磁石との距離変化に基づき上流室の液位を検出する磁気センサと、上流室の液位とセキ孔の通過量との関係から液体の流量を算出する流量算出器とを具備することを特徴とする液体用流量計。
【発明の詳細な説明】
【技術分野】
【０００１】
本発明は、水、油、薬液等の液体の流量を測定する液体用流量計に関し、特に、セキ孔の上流の液位とセキ孔の通過量との関係から液体の流量を測定する液体用流量計に関する。
【背景技術】
【０００２】
従来の液体用流量計は、例えば特許文献１に開示されている。これは、入口と上流室と下流室と出口を有するケーシングと、上流室と下流室を仕切るセキ板と、セキ板に開けられたセキ孔と、上流室に配されたフロートと、上流室から外部に突出して固定されたケースと、フロートと磁気結合してケースの軸心方向に変位する可動軸と、可動軸に連動する摺動接点と抵抗体に接続された固定接点とから成るポテンショ・メータと、上流室の液位とセキ孔の通過量との関係から液体の流量を算出する流量算出器とを具備するものである。
【先行技術文献】
【特許文献】
【０００３】
【特許文献１】特開昭６１−４５９２４号公報
【発明の概要】
【発明が解決しようとする課題】
【０００４】
上記従来の液体用流量計は、摺動接点と固定接点との接触不良が生じるために流量を測定できなくなる問題点があった。
【０００５】
したがって本発明が解決しようとする課題は、確実に流量を測定できる液体用流量計を提供することである。
【課題を解決するための手段】
【０００６】
上記の課題を解決するために、本発明の液体用流量計は、入口と上流室と出口を有するケーシングと、上流室と出口を仕切るセキ板と、セキ板に開けられたセキ孔と、上流室に配されたフロートと、上流室から外部に突出して固定されたケースと、ケースの中心軸の回りに回転自在に取付けられた回転板と、一端が回転板に固定され他端がフロートに固定されフロートの浮上降下により回転して回転板を回転せしめるフロートアームと、回転板に連結され回転板の回転に伴ってケースの軸心方向に変位する可動軸と、可動軸に内蔵された永久磁石と、永久磁石の変位に応じた永久磁石との距離変化に基づき上流室の液位を検出する磁気センサと、上流室の液位とセキ孔の通過量との関係から液体の流量を算出する流量算出器とを具備するものである。
【発明の効果】
【０００７】
本発明によれば、磁気センサにより上流室の液位を検出するので、確実に流量を測定できるという優れた効果を奏する。
【図面の簡単な説明】
【０００８】
【図１】本発明の実施の形態に係わる液体用流量計の断面図である。
【図２】図１のＡ−Ａ断面図である。
【発明を実施するための形態】
【０００９】
以下、本発明の実施の形態について、図１乃至図２を参照して説明する。ケーシング１は入口２とほぼ円柱状の空間から成る上流室３と出口４を有し、図示しない入口側配管フランジと出口側配管フランジの間に配されボルトとナットから成る締結手段によって挟持される。入口２と上流室３を円板状の整流板５により仕切る。整流板５には複数の小孔から成る整流孔が開けられている。整流孔により入口２と上流室３を連通する。上流室３と出口４を円板状のセキ板６により仕切る。セキ板６にはセキ孔７とセキ孔７の上端から連通する通孔８が開けられている。セキ孔７と通孔８により上流室３と出口４を連通する。セキ孔７の上流の上流室３に中空球形のフロート９を配置する。
【００１０】
ケーシング１にねじ結合によりケース１０を固定する。ケース１０の内端二又部分１０ａに中心軸１１により回転板１２を回転自在に取付ける。回転板１２にフロートアーム１３の一端を圧入により固定し、フロートアーム１３の他端をフロート９に溶接により固定する。フロートアーム１３はフロート９の浮上降下により回転して回転板１２を回転せしめる。回転板１２に可動軸１５の一端二又部分１５ａを連結軸１４により連結する。可動軸１５は回転板１２の回転に伴ってケース１０の軸心方向に変位する。可動軸１５の他端に永久磁石１６を内蔵する。ケース１０の隔壁１０ｂにより永久磁石１６とは隔てて永久磁石１６の変位に応じた永久磁石１６との距離変化に基づき上流室３の液位を検出する磁気センサ１７をケース１０に取付ける。磁気センサ１７を流量算出器１８に接続する。流量算出器１８は上流室３の液位とセキ孔７の通過量との関係を予め記憶しており、上流室３の液位から液体の流量を算出する。
【００１１】
入口２の液体は整流孔を通して上流室３に入り、セキ孔７を通して出口４に流出する。上流室３の液位に伴ってフロート９が浮上降下し、フロート９の浮上降下によりフロートアーム１３が回転して回転板１２が中心軸１１の回りに回転する。回転板１２の回転に伴って可動軸１５がケースの軸心方向に変位して永久磁石１６の磁気センサ１７との距離が変化する。磁気センサ１７が永久磁石１６との距離変化に基づき上流室３の液位を検出し、流量算出器１８が上流室３の液位とセキ孔７の通過量との関係から液体の流量を算出する。
【産業上の利用可能性】
【００１２】
本発明は、水、油、薬液等の液体の流量を測定する液体用流量計に利用することができる。
【符号の説明】
【００１３】
１  ケーシング
２  入口
３  上流室
４  出口
５  整流板
６  セキ板
７  セキ孔
８  通孔
９  フロート
１０  ケース
１１  中心軸
１２  回転板
１３  フロートアーム
１４  連結軸
１５  可動軸
１６  永久磁石
１７  磁気センサ
１８  流量算出器
【図１】
2014010122.tif 000003
【図２】
2014010122.tif 000004
(57)【要約】【課題】古くから研究されてきた素数であるが、その完全なる規則性や公式化はわかっていない。そのため産業上有用な巨大な素数の作成や判定にはコンピューターを使って非常に長い時間計算しなくてはならないし、すべての素数を導き出す方法はみつかっていない。【解決手段】今回、全ての素数を導き出す公式を発明し、その値を素数かどうかを短い時間で判定する事ができる検証式を導き出し、上記課題の解決手段とした。【特許請求の範囲】
【請求項１】
素数公式。以下の二つの式を利用した任意の桁数の素数の作成と暗号のための掛け合わせのコンピュータープログラム。
（１）式Ａ）Ｘａ＝６×Ｎ＋１（Ｎは正の整数）
（２）式Ｂ）Ｙｂ＝６×Ｋ−１（Ｋは正の整数）
【請求項２】
素数検証。素数公式（式Ａと式Ｂ）で得られた数値が素数どうしの掛け合わせではない、本当の素数かどうかを検証するための以下の二つの式。
（１）検証式Ｚａ）Ｚａは式Ａで示される数列Ｘａ上のある任意の数とする。
（Ｚａ−１）÷６＝６×ｎ×ｋ±（ｎ＋ｋ）．（ｎとｋは正の整数）
ｎとｋに該当する正の整数が存在するならばＺａは素数ではない。
検証式Ｚｂ）Ｚｂは式Ｂで示される数列Ｙｂ上のある任意の数とする。
（Ｚｂ＋１）÷６＝６×ｃ×ｄ＋（ｃ−ｄ）．（ｃとｄは正の整数）
ｃとｄに該当する正の整数が存在するならばＺｂは素数ではない。
【請求項３】
上記の素数公式と素数検証等を単独または組み合わせて利用し、容易に任意の素数を作成し、検証し、暗号化し、または暗号を解読したりするためのココンピュータープログラム。
【発明の詳細な説明】
【技術分野】
【０００１】
【背景技術】
【０００２】
【先行技術文献】
【非特許文献】
【非特許文献１】素数の一部を生み出す式  全ての素数をあらわす式は見つかっていない。しかし一部の素数を生み出す式はいくつか見つかっている。ドイツ数学者レオンハルト・オイラー（１７０７〜１７８３）の式  ｎ×（ｎ＋１）＋４１、などがある。
【非特許文献２】エラトステネスのふるい  古代ギリシャの数学者エラストテネス（前２７５〜前１９４頃）が考案した、小さい素数の倍数からふるいにかけるように除いて、最終的に残った数が素数という方法。
【非特許文献３】メルセンヌ数  エラストテネスのふるいを使わずに素数かどうかの判定をすることができる。しかしコンピューターを使って非常に長い時間計算する必要がある。
【非特許文献４】素数定理  ドイツの数学者カール・フリードリッヒ・ガウス（１７７７〜１８５５）等が考案した、ある数までにあらわれる素数のおおよその個数を知ることができる。
【非特許文献５】ＲＳＡ暗号  大きな素数どうしを掛け合わせたもので、掛け算は簡単だが、そうして作られた巨大な数を素因数分解して、元の素数を非常に難しいことを利用して暗号としたもの。
【発明の概要】
【発明が解決しようとする課題】［素数の公式化］数の原子である素数の規則性と公式化は２０００年以上前から研究されているにも係わらず、未だに完全な規則性を見いだされておらず、公式化もなされていない。巨大な素数は依然として未知の分野である。
【課題を解決するための手段】［すべての素数を生み出す式を作成する］すべての素数を生み出す式を作りだす事によって、素数以外の数を素数か否か、即座に検証するシステムを発明する。
【発明の効果】［巨大な素数］暗号等で有用な巨大な素数を無限に作りだすことが容易に可能になる。
巨大な素数どうしの掛け算は簡単だが、そうして作られた巨大な数を素因数分解し、元の素数を見つけるのは難しい。ＲＳＡ暗号等、ネットショッピングの際に他人に知られることなくクレジット番号を送信する仕組みや視聴料を払った人だけが見られるテレビ放送などで利用されている。それらの暗号のかぎとしての巨大な素数を際限な供給することができるようになる。
また、科学分析などで得られた巨大な数が、素数であるか否かを簡単に求められるようになるので、その結果によってその分析対象物の性質や内部構造などの解析が容易にできるようになる。
【発明を実施するための形態】
［素数の公式化］２と３以外のすべての素数は以下の二つの数式によって生じる数列の中にあらわされる。
式Ａ）  Ｘａ＝６×Ｎ＋１（Ｎは正の整数）
式Ｂ）  Ｙｂ＝６×Ｋ−１（Ｋは正の整数）
この二つの式に当てはまらない数はすべて素数ではない。
Ｘａ＝７，１３，１９，・・・・・
Ｙｂ＝５，１１，１７，・・・・・
［素数検証］上の二つの式による二つの数の列には素数どうし掛け合わされた数が含まれてくるので、その値が素数であるかどうかを検証する必要がある。
検証式Ｚａ）Ｚａは式Ａで示される数列Ｘａ上のある任意の数とする。
（Ｚａ−１）÷６＝６×ｎ×ｋ±（ｎ＋ｋ）．（ｎとｋは正の整数）
ｎとｋに該当する正の整数が存在するならばＺａは素数ではない。
検証式Ｚｂ）Ｚｂは式Ｂで示される数列Ｙｂ上のある任意の数とする。
（Ｚｂ＋１）÷６＝６×ｃ×ｄ＋（ｃ−ｄ）．（ｃとｄは正の整数）
ｃとｄに該当する正の整数が存在するならばＺｂは素数ではない。
【実施例】［３８７２４２２９］
３８７２４２２９は素数公式から式Ａからの数列Ｘａに該当することが分かる。
検証式Ｚａ）
（３８７２４２２９−１）÷６＝６×ｎ×ｋ±（ｎ＋ｋ）
６４５４０３８      ＝６×ｎ×ｋ±（ｎ＋ｋ）
ｎとｋに該当する数を検索してみると、１４７０と７３２と出た。故にこの巨大数は素数ではない。素数８８１９と４３９１を掛け合わせた数であることが分かる。
［１６０１］１６０１は素数公式から式Ｂからの数列Ｙｂに該当することが分かる。
検証式Ｚｂ）
（１６０１＋１）÷６＝６×ｃ×ｄ＋（ｃ−ｄ）
２６７        ＝６×ｃ×ｄ＋（ｃ−ｄ）
ｃとｄに該当する数を検索してみると該当する正の整数が存在しないので１６０１は素数である。
【産業上の利用可能性】［巨大な素数が必要な場合］
暗号等で巨大な素数が必要になった場合に、任意の桁数で安定的に供給する事ができる。
［巨大な数が素数であるかどうかの判断が必要な場合］
科学分析や解析などで得られた巨大な数字が素数であるかどうかを確認する必要が生じた時に容易に検証することができる。
(57)【要約】      （修正有）【課題】テレビ放送やインタ−ネットなどの通信における著作物の保護以外の場合における、デジタル著作物を保護する表示装置を提供する。【解決手段】電池などの電源、センサー、制御装置などにより、人間の目を識別することで、表示先を人間の目のみに限定し、この装置内部の著作物の出力先を、この表示装置１のみに限定できる機能と形状を持ち、これを保てない可能性の変化を検出した場合、それぞれ、表示を止める、内部の著作物を消去か物理的破壊、となるように機能する。そのための基本形状は、目の周囲を完全に覆うことができる大きさの直方体の箱２のようなものである。【選択図】図１
2014010443.tif 000002
【特許請求の範囲】
【請求項１】
以下の特徴を持つ表示装置である。
電池などの電源、センサー、制御装置などにより、人間の目であるということを識別し、表示先を、人間の目のみに限定し、この装置内部の著作物の出力先をこの装置のみに限定できる機能と形状を持ち、これを保てない可能性の変化を検出した場合、それぞれ、表示を止める、内部の著作物などのソフトウェアを消去か物理的破壊、となるように動作する。
そのための基本形状は、目の周囲を完全に覆える大きさがある直方体の箱のようなものである。
このように、出力側、入力側の両側における限定によってデジタル著作物の保護を最優先にした表示装置である。
この表示装置に、ヘッドフォンのような音声再生装置がついている機種ならば、この音声再生装置も、この表示装置に含んだ構造にして、同じ機能条件にすることで、表示が止まるとき、音声も止まる。
この装置の特徴から、電源スイッチもなく、視線の方向と、まぶたを速く２回閉じるなどの合図で制御する仕組みにもできるため、押しボタンのようなスイッチが１つもない表示装置にもすることもできる。
【発明の詳細な説明】
【技術分野】
【０００１】本発明は、表示装置内部のデジタル著作物を保護に関するものである。
【背景技術】
【０００２】従来の表示装置は、信号の複製や、カメラなどによる複製ができる。
【発明の概要】
【発明が解決しようとする課題】
【０００３】テレビ放送やインタ−ネットなどの通信における著作物の保護は、本発明では、対象外である。
これら以外の場合において、信号変換を土台とせずに、デジタル著作物を保護しようとするものである。
【発明を解決するための手段】
【０００４】デジタル著作物に関するデータを、表示装置の内部に置き、著作物と分離できない仕組みにする装置にすために、電池などの電源、センサー、制御装置をもたせることによって人間の目であるということを識別し、表示先を、人間の目のみに限定し、この装置内部の著作物の出力先を、この装置のみに限定できる機能と形状を持ち、これを保てない可能性の変化を検出した場合、それぞれ、表示を止める、内部のソフトウェアを消去か物理的破壊となるように機能する。
そのための基本的な形状は、目の周囲を完全に覆ことができる大きさの直方体の箱のようなものである。
このように、出力側、入力側の両側を限定することによって、デジタル著作物を保護されるようにする。
なお、この表示装置にヘッドフォンのような音声再生装置がついている機種ならば、この音声再生装置も、この表示装置に含んだ構造にして、同じ機能条件にすることで、表示が止まるとき、音声も止まる。
さらに具体的な手段は、イメージセンサの画像、微弱電波、金属探知、音波振動、温度分布、人間の目の各構造の部分、など、さらに、それらの変化が適切かどうかなど、非常に多い。
【発明の効果】
【０００５】装置内のデジタル著作物は保護できる。
【図面の簡単な説明】
【０００６】
【図１】全体の斜視図
【発明を実施するための形態】
【０００７】電源スイッチもなく、視線の方向と、まぶたを速く２回閉じるなどの合図で制御する仕組みにもできるため、押しボタンのようなスイッチが１つもない表示装置にもすることもできる。
取り外すことができ、折り曲げ畳めるスタンドで支える補助器具があり、外部からの電源コードがスタンドの中を通っていて、充電もできる。
スタンドのばねの力で、目の周辺に押し当てるだけの静的方式と、スタンド自身に、センサ、モータ、制御装置を持ち、人の頭の動きに追従する動的方式の２種類がある。
【符号の説明】
【０００８】１  表示装置
２  カバー
３  折り曲げ畳めるスタンド
４  取り外し箇所
５  固定具
６  テーブルなどの台の端
７  電源コード
【図１】
2014010443.tif 000003
(57)【要約】【課題】  定水位の給水を得るにはボールタップの使用が一般的だが、水道水用に作られた用具で、大規模な使用には適するが、繊細な水位調整は難しい。既出願例は、どちらも本体壁面を浮体のガイドとして使用しているので、縦長の構造とする必要があり、水位変動を少なくしようとすれば大容積になるし、転倒の問題もある。【解決手段】  扁平な円形容器の蓋中央上部に、供給された水を容器内に供給する給水チューブ接続口を設け、この位置の蓋裏側には、供給された水の吐水口を突出させ、この吐出口より浮き材への接触長さが僅かに短い浮き材支持足を蓋裏側外周に設け、吐出口に接する位置にクッション材取り付けた浮き材を容器内に挿入し、円形容器下辺には配水チューブ接続口を設ける。【選択図】図１
2014059056.tif 000002
【特許請求の範囲】
【請求項１】
扁平な円形容器の上部蓋中央上部に、水源から供給された水を容器内に供給する給水チューブ接続口を設け、この位置の蓋裏側には供給された水の吐水口を突出させ、この吐水口より浮き材への接触長さが僅かに短い浮き材支持足を蓋裏側外周に設け、吐水口に接する位置にクッション材を取り付けた浮き材を円形容器内に挿入し、円形容器下辺には下部浮き材支持足を設け、配水チューブ接続口を任意数設けた定水位給水具。
【発明の詳細な説明】
【技術分野】
【０００１】  本発明は、水槽等の水源から供給された水を定水位で継続的に配水する用具である。
【背景技術】
【０００２】  定水位で水を継続的に供給するには、ボールタップが一般的に使用される。類似出願例では、登録実用新案第３１２７７６８号、登録実用新案第３０２７７９７等がある。
【発明の概要】
【発明が解決しようとする課題】
【０００３】  ボールタップは水道水用に作られた用具で、大規模な給水には適するが、構造が大きく、低い水位を設定できないし、繊細な水位調整は難しい。既出願例は、どちらも本体壁面を浮体のガイドとして使用しているので、縦長の構造とする必要があり、転倒の問題があるとともに、水位の安定度を保とうとすれば、浮体の面積を大きくする必要があるが、そうすれば比例して高さを大きくする必要があり、容積の‐大きなサイズになってしまう。
【課題を解決するための手段】
【０００４】  扁平な円形容器の上部蓋中央上部に、水源から供給された水を容器内に供給する給水チューブ接続口を設け、この位置の蓋裏側には供給された水の吐水口を突出させ、この吐水口より浮き材への接触長さが僅かに短い浮き材支持足を蓋裏側外周に設け、吐水口に接する位置にクッション材を取り付けた浮き材を円形容器内に挿入し、円形容器下辺には下部浮き材支持足を設け、配水チューブ接続口を任意数設けた。【０００５】  浮き材は、軽くて水が浸透しない材質なら何でも良く、中空なタンクや独立気泡の発泡体等が使用できる。浮き材外壁と円形容器内壁との隙間は少ない方が安定度は増すが、少なくすると毛細管現象により隙間に水が盛り上がり、適切な水位が保てないので、部分的に円形容器内壁と接触できる形式とすると良い。具体的には、浮き材上部だけを接触させる方法（図１、図２）と、浮き材外壁に縦方向のリブをつける方法等がある。上部だけとした場合は、その部分の外周に水が落ち易くするための隙間を設けると良い（図２）。【０００６】  浮き材支持足は帯状で設置しても良いが、その場合は、適宜に水が流出できる隙間を設ける。また、容器内下部には、水量を確保するための水溜りを作るためや、浮き材を一定高さに保持する下部浮き材支持足を設ける。容器の蓋には通気口を設ける。
【発明の効果】
【０００７】  単純で扁平な構造で、転倒の危険も無く、低い水位を一定に保って安定配水できる。また、配水チューブ接続口を複数設ければ、階層的に利用することもでき、多段階の配水に一つの水源で対応できる。
【図面の簡単な説明】
【０００８】
【図１】  本体断面図
【図２】  浮き材平面図
【発明を実施するための形態】
【０００９】  使用時は、蓋上部の給水チューブ接続口と水源とをチューブで繋ぐだけで良い。円形容器内に流入した水は、浮き材を浮き上がらせ、吐水口を塞ぐと水の流入は止まり、円形容器内の水位が一定に保たれる。この時、吐水口の中心に浮き材の浮力中心を正確には保てないので、吐水口と浮き材支持足との僅かな高さ不均衡分がクッション材で吸収され、安定した水位が保たれる。
【００１０】  浮き材の面積を大きくするか吐水口径を小さくすれば水位変動幅を少なくできる。配水先との水位微調整には、高さ調整板を敷くと簡単だ。また、使用しない配水チューブ接続口にはゴムキャップを被せておく。
【符号の説明】
【００１１】  １  円形容器
２  蓋
３  給水チューブ接続口
４  吐水口
５  浮き材支持足
６  クッション材
７  浮き材
８  配水チューブ接続口
９  下部浮き材支持足
１０  高さ調整板
１１  通気口
１２  定水位面
１３  チューブ
【図１】
2014059056.tif 000003
【図２】
2014059056.tif 000004
(57)【要約】【課題】従来のデジタル・カメラ・システムにおいては、各種のアクセサリー類をカメラ本体に装着しようとするとき、直接にカメラ本体に設置されたコネクターやアクセサリーシューなどに着脱するものであった。  このため、アクセサリーの形状や大きさによってはカメラ本体と形状や重量配分などが釣り合わず、カメラ・システム全体を保持するのが不安定になったり、過剰に嵩張ってしまう場合があった。【解決手段】このような不都合に対して、アクセサリー類を直接カメラ本体の位置が固定されたコネクターやアクセサリー・シューに取り付けるのではなく、カメラ本体上部に着脱自在で交換可能なプレートを設置する。  そしてこのプレートにそれぞれのアクセサリーに最適化された位置にコネクターやアクセサリー・シューを設置する。  このように構成されたプレートにアクセサリー類を装着すると、バランスが良いデジタル・カメラ・システムを構成することができる・【選択図】図１
2014109699.tif 000002
【特許請求の範囲】
【請求項１】
カメラ本体上部に交換および着脱自在のプレートを設置可能とし、このプレートを介して各種アクセサリー類が取り付け可能なデジタル・カメラ・システム。
【請求項２】
プレートを、アクセサリー類装着部と、操作部に分割し、それぞれの部分が独立して交換および着脱自在であるデジタル・カメラ・システム。
【発明の詳細な説明】
【技術分野】
【０００１】
G03B 17/14
本発明は様々なアクセサリー類を取り付けやすいデジタル・カメラ・システムに関するものである。
【背景技術】
【０００２】
小型のレンズ交換式のデジタル・カメラ・システムにおいては、様々なアクセサリー類を装着して使用される場合も多い。  例えば ＥＶＦ（エレクトリック・ビュー・ファインダー）、ストロボ装置、ＧＰＳユニット、光学ファインダー、大きめの画像表示装置など フィルムカメラの時代よりもより多くの種類のアクセサリーの装着が要求されている。
【０００３】
しかし、使用者の好みや撮影状況により必要とされるアクセサリーには違いがあります。アクセサリーを全く必要としない場合や、複数のアクセサリーを同時に装着したい場合もあります。
【０００４】
このような様々な必要性に対して 従来のデジタル・カメラは  それぞれのアクセサリーに対して個別の専用の接続端子を用意するか、従来から存在する伝統的なアクセサリーシューを設置することにより汎用化を図ってきました。
このようなアクセサリーの接続方法ではたくさんのアクセサリーを接続したときに操作性が悪くなったり、アクセサリーを使わない人にとっては余分な端子類が煩雑なものに思われたりします。（例：特開０７−３１０００５）
【先行技術文献】
【特許文献】
【０００５】
【特許文献１】特開２００７−３１０００５
【発明の概要】
【発明が解決しようとする課題】
【０００６】
アクセサリー類を必要としない状況ではすっきりとコンパクトに、そして アクセサリーを搭載した状況でも なるべく使用者のカメラの操作の邪魔にならないデジタル・カメラ・システムを実現することを目的とする、
【課題を解決するための手段】
【０００７】
通常のカメラ・システムのようにアクセサリー類をカメラ本体に直接取り付けるのではなく、図１において、カメラ本体１と、これの上部に何種類かの交換可能で着脱自在なアクセサリー取り付け用のプレート２，３，４からなる組み合わせを、アクセサリー使用時の基本構成とする。
【０００８】
そして、このプレート２，３，４には各種のアダプターを接続および嵌合するためのコネクターを設置します。このプレート２，３，４は１種類に限定されず、用途に応じて複数種類を用意し、交換して使用することも可能です。例を挙げると、可倒式のＥＶＦ（エレクトリック・ビュー・ファインダー）5、外部フラッシュ装置６、ＧＰＳ装置８、無線または有線の通信装置９などを装着して高機能デジタル・スチル・カメラとして使用するためのプレート２、３や、画像表示のタイムラグがない光学ファインダー７を装着して、高速・軽快な撮影を可能とするスナップ撮影用のプレート３や、  マイクロフォンや連続投光器を搭載して動画撮影に最適化したプレートなどが考えられます。
【０００９】
また、プレート４の例では、プレートとアクセサリーを分離せず、よく使われる、例えばＥＶＦ１５とフラッシュ装置１６を予め内蔵させています。  このような構成では、アクセサリー選択の自由度は下がりますが、よりコンパクトで操作性の良いデザインが可能です。
【００１０】
また、カメラ本体１に撮影対象を表示する装置（液晶画面など）を装備している機種では、アクセサリーの装着が不要な場合には、このような追加のプレート２，３，４を装着せずに、カメラ本体１だけで撮影することも可能です。
【００１１】
このプレートは２，３，４のようにカメラ上部すべてを覆うものでなくてもかまいません。 図２の例のようにアクセサリー装着部１７と、シャッターボタンなどを搭載した操作部１８、１９に分割して、それぞれ独立して交換可能とすることもできます。このような構成にすると、より多彩な組み合わせでカメラの機能を変更することが可能となります。
【発明の効果】
【００１２】
とりわけ、アクセサリー類の設置面積が限られる小型のデジタル・カメラにおいて、効率的な位置にアクセサリー類を配置することが可能となる。
【図面の簡単な説明】
【００１３】
【図１】交換可能な軍艦部（上部構造）プレートを装着可能なデジタル・カメラ・システムの基本概念図である。
【図２】操作部18、19とアクセサリー装着部17が独立して交換および着脱自在なデジタル・カメラ・システムの概念図である。
【符号の説明】
【００１４】
1  デジタル・カメラ本体
2、３  交換式プレート
4  アクセサリー類を予め搭載したプレート
5  可倒式電子ビュー・ファインダー
6  フラッシュ装置
7  光学ファインダー
8  GPS装置
9  無線または有線の通信装置
10ａ、10ｂ、１０ｃ、１０ｄ  シャッター・ボタン
11ａ、１１ｂ  カメラ本体側着脱部位
12ａ、１２ｂ、１２ｃ、１２ｄ、１２ｅ、１２ｆ  プレート側着脱部位
１３ａ、１３ｂ  信号コネクター
14ａ、１４ｂ、１４ｃ、１４ｄ、１４ｅ  アクセサリー・シュー
15  内臓電子ビュー・ファインダー
16  内蔵フラッシュ装置
17  分割式プレートのアクセサリー搭載部
18、19  分割式プレートの交換操作部位
【図１】
2014109699.tif 000003
【図２】
2014109699.tif 000004
(57)【要約】      （修正有）【課題】既存する火力、原子力発電に於いては、使用する燃料に空気汚染等の多くの問題があるため、これに代わるクリーンで安全なエネルギー源を用いて発電する装置を提供する。【解決手段】海上側から海水をモーターポンプで陸地高所へ吸い上げ、一本ラインとして海水を陸地下り勾配で自然送水、随所に発電に必要な落差を設け、そこに発電装置を直列に設置して、同じ海水を何度も使い発電する。一度吸い上げた海水を無駄なく使い、何ヶ所も発電装置を設置し発電していく事で、海水吸い上げモーターポンプ電気量の数百倍の電気を発生する事が出来る【選択図】なし【特許請求の範囲】
【請求項１】
陸地高所に海水を上げ、一本のシステムラインにて、同じ海水を使い、複数ヶ所で発電装置にて発電していく発電方法。
【発明の詳細な説明】
【技術分野】海水を陸地高所へ上げるには、海上よりモーターポンプにて、一つの発電装置の発電に必要な水量の海水を吸い上げる。
陸地にて発電するには、海上より陸地高所へ上げた海水を一本ラインにて陸地の下り勾配を利用、随所に落差を設け、そこに発電装置を設置し発電していくものである。
システムでは、一本のラインにて、同じ海水を何度も使い発電をしていく事で、大量な発電が可能となり、ラインを何本も設置する事にて、日本国に必要な電気を発電する事も可能である。
【背景技術】現在、海水を利用した発電は、浮力、波力、流水等の海上設置がほとんどであり、海水を陸地に上げ発電するものは無い。
【発明の概要】
【発明が解決しようとする課題】既存する火力、原子力発電に於いては、使用する燃料に空気汚染等の多くの不具合問題があり、既存発電に成り代わるクリーンで安全な発電エネルギー源が求められている。
【課題を解決するための手段】この発明システムは、海上側から海水をモーターポンプで陸地高所へ吸い上げ、一本ラインとして海水を陸地下り勾配で自然送水し、随所に落差を設け、そこに発電装置を設置し、同じ海水を何度も使い発電していく陸地海水力発電である。
一度吸い上げた海水を有効に使い、何ヶ所も発電装置を設置し発電していく事で、初期の海水吸い上げモーターポンプ電気量の数百倍の電気を発生する事が出来る。
このラインを何本も増やす事にて、日本国の必要な電気を発生させる事も可能である。
海水は豊富にあり、クリーンで安全な発電エネルギー源であり、課題の不具合問題が解決出来る。
【発明の効果】海水は豊富に有り、クリーンで安全な発電エネルギー源である。
また海水は無限無料のため低コストの発電生産効果がある。
【産業上の利用可能性】豊富にある海水での発電は低コストで生産出来る為、家庭用も産業上も利用可能性が多大である。
【図面の簡単な説明】
【図】  平面図
【符号の説明】１  海上側海水吸い上げパイプ
２  陸地高所海水接続タンク
３  陸地側下り送水パイプ
４  発電装置
【発明を実施するための最良の形態】海水にて陸地で発電していくには、日本列島地形を利用する事が本発明を実施するための最良の形態である。
日本列島は北方面が南方面より、陸地も海上も高く細長く、陸地発電に好都合の地形になっている。
北方面の海上より、海水を発電装置に必要な水量を取水、北方面の陸地高所へモーターポンプで吸い上げ、一本ラインで南方面への、列島地形の自然な下り勾配を長く利用する事で、随所に発電に必要な落差を多く設けられる。
従い、一本のシステムラインにて発電装置を多く設置出来て、大量の電気を発電をさせる事が出来るからである。
尚、一つのシステムラインで、北方面で取水した海水は、ライン最後の発電装置を通過後に南方面の海上へ放流される。
2014109268.tif 000002